(57)【要約】      （修正有）【課題】陳列ケースの横幅を変更可能な商品陳列用什器を提供する。【解決手段】商品陳列用什器１の陳列ケース３を、商品収容器２の左右に離れて互いに対向する一対の側壁部材３１、３１と、一対の側壁部材３１、３１の間に介装されて一対の側壁部材３１、３１を互いに連結し、商品収容器が載せられる連結部材４１によって構成する。そして、連結部材４１の長さを商品収容器３の数に応じて調整して、一対の側壁部材３１、３１の間の距離を調整する。【選択図】図１
0003138292.tif 000002
【実用新案登録請求の範囲】
【請求項１】
複数の商品を前後に整列させて列の前方に向かって付勢した状態で収容可能な商品収容器と、
該商品収容器を装着することによって前記商品を前記商品収容器に収容された状態で陳列する陳列ケースとを有し、
前記陳列ケースは、
該商品収容器の左右に離れて互いに対向する一対の側壁部材と、
該一対の側壁部材の間に介装されて前記一対の側壁部材を互いに連結し、前記商品収容器が載せられ、該載せられる前記商品収容器の数に応じて前記一対の側壁部材の間の距離を調整可能な連結部材と、
を有することを特徴とする商品陳列用什器。
【請求項２】
前記連結部材は、棒形状を有し、複数本を軸方向に接続及び分離することによって、前記一対の側壁部材の間の距離を調整可能な構成を有することを特徴とする請求項１に記載の商品陳列用什器。
【請求項３】
前記連結部材は、前記商品収容器の横幅と同一の軸方向長さを有することを特徴とする請求項２に記載の商品陳列用什器。
【請求項４】
前記連結部材は、前記一対の側壁部材の前部間、及び前記一対の側壁部の後部間に介装されたことを特徴とする請求項２又は３に記載の商品陳列用什器。
【請求項５】
前記商品収容器は、
該商品収容器を前記連結部材の上に載せることにより前記連結部材に係合する係合部を有し、該係合部の係合により前記連結部材に対する位置決めがなされることを特徴とする請求項１〜４のいずれか１項に記載の商品陳列用什器。
【請求項６】
前記一対の側壁部材は、
該側壁部材の下方に向かって開口する凹部と、
前記側壁部材の上方に向かって突出し、前記側壁部材の上部に他の側壁部材を積み重ねることによって該他の側壁部材の凹部に挿入可能な凸部と、を有することを特徴とする請求項１〜５のいずれか１項に記載の商品陳列用什器。
【考案の詳細な説明】
【技術分野】
【０００１】
本考案は、商品を陳列する商品陳列用什器に関する。
【背景技術】
【０００２】
従来より、ケース棚に複数個の商品が前後一列に並べられ、手前に位置する商品を取り出すと、残りの商品がケース棚の奥から手前に向かって押し出されて、常にケース棚の手前から商品を取り出すことを可能にする技術が種々提案されている。
【０００３】
例えば、上部が開放された箱状のケース棚本体と、ケース棚本体の前壁及び後壁の内面にそれぞれ設けられた縦方向のスリットに両端を挿入してケース棚本体内を左右に仕切り、商品を前後方向に一列に並べて収納可能な収納区画を形成する仕切り板と、各収納区画ごとに設けられて、収納区画に収納された商品を前方に向かって押し出す方向に付勢する商品前出し器具とを有する陳列装置が公知となっている（例えば、特許文献１参照）。
【０００４】
上述の陳列装置は、複数のスリットがケース棚本体の左右に所定間隔をおいて設けられており、仕切り板の両端部を挿入するスリットを変更することによって仕切り板の位置を変更し、また、仕切り板の増減によって収納区画数を増減することが可能となっている。
【０００５】
また、他の従来例として、例えば前後に離間して左右に延在する一対の長尺部材、及び、左右に離間して前後に延在し一対の長尺部材の両端部間を連結する一対の短尺部材とからなる長方形の枠体と、枠体内で枠体の左右に任意の間隔で配置されて着脱自在に取り付けられると共に前後に整列して載置された商品を前方に移動する複数の前出し式商品陳列ユニットと、商品陳列ユニットの両側に沿って延在するように枠体に着脱自在に取り付けられると共に各商品陳列ユニット上に載置された整列商品を商品陳列ユニットごとに区画する仕切りユニットを有する商品陳列棚が公知となっている（例えば、特許文献２を参照）。
【０００６】
上述の商品陳列棚は、枠体の左右方向に所定間隔をおいて位置するように長尺部材に複数の係合部が設けられており、仕切りユニット及び前出し式商品陳列ユニットの位置を変更し、また、仕切りユニットの増減によって区画数を増減することが可能となっている。
【０００７】
【特許文献１】特開２００５−２３７５６６号公報
【特許文献２】特開平１１−３４６８７９号公報
【考案の開示】
【考案が解決しようとする課題】
【０００８】
しかしながら、上述の引用文献１、２に記載された技術は、いずれも一定範囲内で収納区画数を増減するものであり、引用文献１に示された従来技術では、ケース棚本体の大きさを変更することはできず、また、引用文献２に示された従来技術では、枠体の大きさを変更することはできない。したがって、例えば、ケース棚本体や枠体の大きさよりも小さな場所に陳列装置や商品陳列棚を設置することはできず、設置可能な場所が限定される。
【０００９】
また、設置を希望する場所のスペースがケース棚本体や枠体の大きさよりも広いが、ケース棚本体や枠体を複数個を並べて設置することができない大きさである場合には、無駄な空間が生じ、店舗内の限られた空間を有効に活用することができない。
【００１０】
本考案は、これらの点に鑑みてなされたものであり、その目的は、設置場所に応じて全体の大きさを調整できる簡単な構成の商品陳列用什器を提供することにある。
【課題を解決するための手段】
【００１１】
上記課題を解決する請求項１に記載の考案による商品陳列用什器は、複数の商品を前後に整列させて列の前方に向かって付勢した状態で収容可能な商品収容器と、商品収容器を装着することによって商品を商品収容器に収容された状態で陳列する陳列ケースとを有し、陳列ケースは、商品収容器の左右に離れて互いに対向する一対の側壁部材と、一対の側壁部材の間に介装されて一対の側壁部材を互いに連結し、商品収容器が載せられ、その載せられる商品収容器の数に応じて一対の側壁部材の間の距離を調整可能な連結部材とを有することを特徴とする。
【００１２】
請求項２に記載の考案は、請求項１に記載の商品陳列用什器において、連結部材は、棒形状を有し、複数本を軸方向に接続及び分離することによって、一対の側壁部材の間の距離を調整可能な構成を有することを特徴とする。
【００１３】
請求項３に記載の考案は、請求項２に記載の商品陳列用什器において、連結部材は、商品収容器の横幅と同一の軸方向長さを有することを特徴とする。
【００１４】
請求項４に記載の考案は、請求項２又は３に記載の商品陳列用什器において、連結部材は、一対の側壁部材の前部間、及び一対の側壁部の後部間に介装されたことを特徴とする。
【００１５】
請求項５に記載の考案は、請求項１〜４のいずれか１項に記載の商品陳列用什器において、商品収容器は、商品収容器を連結部材の上に載せることにより連結部材に係合する係合部を有し、係合部の係合により連結部材に対する位置決めがなされることを特徴とする。
【００１６】
請求項６に記載の考案は、請求項１〜５のいずれか１項に記載の商品陳列用什器において、一対の側壁部材は、側壁部材の下方に向かって開口する凹部と、側壁部材の上方に向かって突出し、側壁部材の上部に他の側壁部材を積み重ねることによって他の側壁部材の凹部に挿入可能な凸部と、を有することを特徴とする。
【考案の効果】
【００１７】
本考案によると、連結部材によって一対の側壁部材の間の距離を調整することができるので、陳列ケースの大きさを設置場所の大きさに適合させることができる。したがって、設置場所が制限されず、広く用いることができる。
【考案を実施するための最良の形態】
【００１８】
次に、本考案の実施の形態について図に基づいて説明する。
【００１９】
図１は、本実施の形態における商品陳列用什器１の陳列ケース３の構成を説明する図、図２は、商品陳列用什器１のトレイ２の構成を説明する図、図３は、連結部材４１の構成を説明する図、図４は、商品陳列用什器１の使用状態の一例を示す図である。
【００２０】
本実施の形態に係わる商品陳列用什器１は、たばこをたばこ箱単位で銘柄別に陳列するためのものであり、例えばコンビニエンスストアのレジカウンター等に設置されて使用される。商品陳列用什器１は、たばこの銘柄毎に用意されて複数のたばこ箱が収容されるトレイ（商品収容器）２と、複数のトレイ２をたばこの銘柄別に並べてたばこ箱Ｐをトレイ２に収容された状態で陳列する陳列ケース３を備える。
【００２１】
トレイ２は、同一銘柄の複数のたばこ箱Ｐを前後一列に整列させて列の前方に向かって付勢した状態で収容可能な構成（本実施の形態では１１個のたばこ箱Ｐを収容可能な構成）を有しており、図２に示すように、トレイ本体１１と付勢手段２１によって構成される。
【００２２】
トレイ本体１１は、例えば透明のアクリル樹脂等の合成樹脂材料によって構成されており、細長矩形の底面部１１Ａと、底面部１１Ａの一対の長辺からそれぞれ起立して互いに対向する左右の側面部１１Ｂ、１１Ｃと、底面部１１Ａの一方の短辺から起立する前面部１１Ｄ及び後面部１１Ｅを備えた細長矩形の深皿形状を有する。そして、底面部１１Ａの下面には、底面部１１Ａの長辺に沿ってトレイ本体１１の前後に延在するように一対のリブ１１Ｆが突設されている。
【００２３】
トレイ本体１１の大きさは、たばこ箱Ｐの横幅寸法よりも若干大きな距離を有して左右の側面部１１Ｂ、１１Ｃが対向し、たばこ箱Ｐを立てて前後一列に整列させて収容した場合に、たばこ箱Ｐの下部がトレイ本体１１内に挿入されて左右の側面部１１Ｂ、１１Ｃと対向するように設定されている。
【００２４】
トレイ本体１１の底面部１１Ａには、付勢手段２１の当接板２２をたばこ箱Ｐの配列方向であるトレイ本体１１の長手方向に摺動可能に支持するレール部１２と、付勢ばね２３の先端部２３ａを固定するばね固定部１３と、トレイ本体１１が陳列ケース３の連結部材に載せられた状態で陳列ケース３の連結部材に係合する係合部１４が形成されている。
【００２５】
レール部１２は、底面部１１Ａの左右方向略中央にて底面部１１Ａの長手方向に延在するように形成された溝状の開口部によって構成されている。そして、ばね固定部１３は、レール部１２の前端部よりも前面部１１Ｄ寄り位置にて、底面部１１Ａから上方に向かって突設された突起部によって構成されている。そして、係合部１４は、底面部１１Ａの下面に突設されたリブ１１Ｆの一部を切り欠いて構成されている。
【００２６】
付勢手段２１は、トレイ本体１１に収容されたたばこ箱Ｐを列の前方に向かって付勢するものであり、当接板２２と付勢ばね２３を有する。当接板２２は、例えばアセタールコポリマ等の合成樹脂材料によって構成されており、底面部１１Ａに沿うようにレール部１２に係合して摺動する摺動部２２ａと、摺動部２２ａから上方に向かって突出し、列最後部のたばこ箱Ｐの背面に接面する平面状の当接面部２２ｂが形成されている。
【００２７】
付勢ばね２３は、巻ぐせが付けられた渦巻き状の板ばねによって構成されており、図示していない巻回部が当接面部２３ｂの背面側に配置され、巻回部から引き出された先端部２３ａがばね固定部１３に固定されて、当接板２２をトレイ本体１１の前方に向かって付勢している。
【００２８】
陳列ケース３は、図１に示すように、左右に離れて互いに対向する一対の側壁部材３１、３１と、一対の側壁部材３１、３１の間に介装されて、これら一対の側壁部材３１、３１を互いに連結する連結部材とを有する。
【００２９】
側壁部材３１は、鋼板をプレス形成したプレス成形品であり、上方に向かって開放された略コ字状の平板形状を有し、前後に一定高さで延在する下辺部３２と、下辺部３２の前部から上方に向かって一定幅で突出する前辺部３３と、下辺部３２の下部から上方に向かって一定幅で突出する後辺部３４が形成されている。
【００３０】
前辺部３３の前端縁、下辺部３２の下端縁、後辺部３４の後端縁には、内方に向かって突出するようにフランジが形成されており、側壁部材３１の剛性が確保されている。
【００３１】
そして、側壁部材３１には、側壁部材３１の下方に向かって開口する凹部３５と、側壁部材３１の上方に向かって突出する凸部３６が設けられている。凹部３５は、下辺部３２の前部と後部に設けられ、凸部３６は、前辺部３３の上部と、後辺部３４の上部に設けられており、陳列ケース３の上に他の陳列ケース３を積み重ねた場合に、下段の陳列ケース３の凸部３６が、上段の陳列ケース３の凹部３５に挿入されて、上下２段の陳列ケース３を互いに係止するように構成されている。
【００３２】
また、側壁部材３１には、連結部材４１を取り付けるための取付孔３７、３７が穿設されている。取付孔３７、３７は、下辺部３２の前部と後部の２箇所に設けられており、下辺３２の下端縁から同一の高さ位置に位置する。
【００３３】
連結部材４１は、金属製の円柱部材によって構成されており、図３（ａ）に示すＡタイプ４１Ａと、図３（ｂ）に示すＢタイプ４１Ｂの２種類が用意されている。Ａタイプ４１Ａは、一定径でトレイ本体１１の横幅と同一若しくは若干長い軸長の軸部４２を有し、軸部４２の一方端部に中心に沿ってねじ穴４３が螺設され、軸部４２の他方端部に中心に沿ってねじ軸４４が突設されている。Ｂタイプ４１Ｂは、Ａタイプ４１Ａと同一寸法の軸部４２を有し、軸部４２の両端部にねじ穴４３、４３が各々螺設されている。
【００３４】
そして、Ａタイプ４１Ａのねじ軸４４を、別個に用意したＡタイプ４１Ａのねじ穴４３、若しくは、Ｂタイプ４１Ｂの連結部材４１のねじ穴４３に螺入することによって互いに連結し、連結部材４１を軸方向に延長でき、また、ねじ軸４４とねじ穴４３との螺合を解除して取り外すことによって分離し、連結部材４１を軸方向に短縮できるようになっている。
【００３５】
また、図１に示すように、取付ネジ４５を側壁部材３１の取付穴３７に挿入させて、連結部材４１のねじ穴４３に螺入することによって、連結部材４１の端部を側壁部材３１に固定することができるようになっている。
【００３６】
次に、上記構成を有する商品陳列用什器１を設置する設置方法について説明する。
【００３７】
商品陳列用什器１を設置するときは、まず、陳列ケース３を設置する設置場所の大きさと、トレイ２の所望個数に基づいて、陳列ケース３の横幅と、積み重ねる段数を決定し、次いで、かかる構成に必要な数量だけ、側壁部材３１、連結部材４１、トレイ２を用意する。そして、陳列ケース３を１段ずつ組み立てて、上下に積み重ねる。
【００３８】
例えば、図４に示すように、陳列ケース３の横幅を、トレイ２が３個左右に並べられる大きさとし、陳列ケース３を上下２段に積み重ねる構成に決定した場合、４枚の側壁部材３１と、１２本の連結部材４１と、６個のトレイ２を用意する。
【００３９】
そして、Ａタイプの連結部材４１を２本連結し、更にＢタイプの連結部材４１を連結して、合計で３本の連結部材４１を連結したものを一組とし、２組を作る。それから、一対の側壁部材３１、３１を左右に離間させて互いに対向させ、一組の連結部材４１を一対の側壁部材３１、３１の前部間に介装し、残りの一組の連結部材４１を一対の側壁部材３１、３１の後部間に介装する。これにより、１個目の陳列ケース３が組み立てられる。
【００４０】
そして、同様に２個目の陳列ケース３を組み立てると、１個目の陳列ケース３の上に２個目の陳列ケース３を積み重ねて、１個目の陳列ケース３の凸部３６を、２個目の陳列ケース３の凹部３５に挿入し、上下２段の陳列ケース３を互いに係止する。これにより、トレイ２を３個並べることができ且つ上下２段に積み重ねられた陳列ケース３が完成する。
【００４１】
陳列ケース３が完成すると、陳列ケース３にトレイ２が装着される。トレイ２には、予め同一銘柄を有する複数のたばこ箱Ｐが前後一列に整列されて列の前方に向かって付勢された状態で収容されている。
【００４２】
各トレイ２は、一対の側壁部材３１、３１の前部間に介装された一組の連結部材４１と、後部間に介装された一組の連結部材４１との間に亘って架け渡されるように、これら２組の連結部材４１の上にトレイ本体１１が載せられる。そして、連結部材４１の一部がトレイ本体１１の係合部１４に入り込み、連結部材４１に係合される。これにより、複数のトレイ２がたばこの銘柄別に並べられ、たばこ箱Ｐがトレイ２に収容された状態で陳列される。
【００４３】
上記商品陳列用什器１によれば、複数本の連結部材４１を軸方向に連結し、また、分離することによって、一対の側壁部材３１、３１の間の距離を調整することができる。
【００４４】
したがって、陳列ケース３を設置する場所の大きさや、装着を希望するトレイ２の個数に基づいて、陳列ケース３の大きさを調整することができる。したがって、設置場所が制限されず、広く用いることができる。
【００４５】
尚、本考案は、上述の実施の形態に限定されるものではなく、本考案の趣旨を逸脱しない範囲で種々の変更が可能である。例えば、上述の実施の形態では、商品の例としてたばこ箱Ｐの場合を説明したが、コンパクトディスク入りケースや、清涼飲料水のボトルであってもよい。
【図面の簡単な説明】
【００４６】
【図１】本実施の形態における商品陳列用什器の陳列ケースの構成を説明する図である。
【図２】商品陳列用什器の商品収容器の構成を説明する図である。
【図３】連結部材の構成を説明する図である。
【図４】商品陳列用什器の使用状態の一例を示す図である。
【符号の説明】
【００４７】
１  商品陳列用什器
２  トレイ（商品収容器）
３  陳列ケース
１１  トレイ本体
１４  係合部
３１  側壁部材
３５  凹部
３６  凸部
４１  連結部材
Ｐ  たばこ箱（商品）
【図１】
0003138292.tif 000003
【図２】
0003138292.tif 000004
【図３】
0003138292.tif 000005
【図４】
0003138292.tif 000006